(57)【要約】【課題】サーバラック内の液体多岐管に用いられるコネクタ組立部品を説明する。【解決手段】液体多岐管に接続されるように配置され、フレキシブル部を有し、液体多岐管に接続されるように保持する場合、フレキシブル部はチューブの横方向及び縦方向の操作の少なくとも一方に合わせるように配置されるチューブと、互いに結合する場合、液密接続を形成するように配置され、その一方がチューブの遠位端に接続され、その他方がサーバラック内における部材に接続されて、液体多岐管から冷却剤を部材に提供する第１のコネクタ及び第２のコネクタと、を含むコネクタ組立部品。【選択図】図４Ａ
2020095684.tif 000002
【特許請求の範囲】
【請求項１】
サーバラック内の液体多岐管に用いられるコネクタ組立部品において、
前記液体多岐管に接続されるように配置され、フレキシブル部を有し、前記液体多岐管に接続されるように維持する場合、前記フレキシブル部はチューブの横方向及び縦方向の操作の少なくとも一方に合わせるように配置されるチューブと、
互いに結合する場合、液密接続を形成するように配置され、その一方が前記チューブの遠位端に接続され、且つその他方が前記サーバラック内の複数の部材の１つに接続されて、前記液体多岐管から冷却剤を前記部材に供給する第１のコネクタ及び第２のコネクタと、
を含むコネクタ組立部品。
【請求項２】
前記チューブの近位端は直線部であり、前記直線部によって前記チューブが前記液体多岐管に接続され、前記フレキシブル部は前記チューブの前記遠位端に位置する請求項１に記載のコネクタ組立部品。
【請求項３】
前記チューブの前記遠位端は直線部であり、前記直線部によって前記チューブが前記第１のコネクタと前記第２のコネクタとの一方に接続され、前記フレキシブル部は前記チューブの近位端に位置する請求項１に記載のコネクタ組立部品。
【請求項４】
前記チューブは、第１の直線部及び第２の直線部を含み、前記第１の直線部によって前記チューブが前記液体多岐管に接続され、且つ前記第２の直線部によって前記チューブの前記遠位端において前記チューブが前記第１のコネクタと前記第２のコネクタとの一方に接続され、前記フレキシブル部は前記第１の直線部と前記第２の直線部との間に位置する請求項１に記載のコネクタ組立部品。
【請求項５】
前記第１のコネクタ及び前記第２のコネクタの少なくとも一方は、接続していない場合にセルフシールするように配置される請求項１に記載のコネクタ組立部品。
【請求項６】
サーボコンピュータシステムを収納するためのサーバラックにおいて、
スロットを有するフレームと、
前記サーボコンピュータシステムを保持して前記スロットに挿入されるように配置され、搭載ベースを有し、前記サーボコンピュータシステムに流動的に接続されるように配置される摺動部品と、
前記フレームの高度で延伸し、第１の液体多岐管及び第２の液体多岐管を有する液冷多岐管システムと、
前記第１の液体多岐管に接続される第１のコネクタ組立部品及び前記第２の液体多岐管に接続される第２のコネクタ組立部品と、
を含み、
前記第１のコネクタ組立部品及び前記第２のコネクタ組立部品は、それぞれ、各別の前記液体多岐管に接続されるように配置され、フレキシブル部を有し、各別の前記液体多岐管に接続されるように維持する場合、前記フレキシブル部はチューブの横方向及び縦方向の操作の少なくとも一方に合わせるように配置されるチューブと、互いに結合する場合、液密接続を形成するように配置され、その一方が前記チューブの遠位端に接続され、且つその他方が前記搭載ベースに接続される第１のコネクタ及び第２のコネクタと、を有し、
前記摺動部品が前記スロットに挿入されて前記第１のコネクタが前記第２のコネクタに結合されるようになり、且つ液密接続を形成して、前記搭載ベースを前記液冷多岐管システムに流動的に接続させるサーバラック。
【請求項７】
前記第１のコネクタ及び前記第２のコネクタの少なくとも一方は、接続していない場合にセルフシールするように配置される請求項６に記載のサーバラック。
【請求項８】
前記チューブの前記遠位端に接続される前記第１のコネクタ又は前記第２のコネクタの前記一方は、接続していない場合にセルフシールするように配置される請求項６に記載のサーバラック。
【請求項９】
前記チューブが各別の前記液体多岐管に接続されるように維持する場合、前記フレキシブル部は、前記チューブの横方向、縦方向及び軸方向の操作に合わせるように配置される請求項６に記載のサーバラック。
【請求項１０】
部材を収納するためのサーバラックにおいて、
スロットを有するフレームと、
前記フレームの高度で延伸し、第１の液体多岐管及び第２の液体多岐管を有する液冷多岐管システムと、
前記第１の液体多岐管に接続される第１のコネクタ組立部品及び前記第２の液体多岐管に接続される第２のコネクタ組立部品と、
を含み、
前記第１のコネクタ組立部品及び前記第２のコネクタ組立部品は、それぞれ、各別の前記液体多岐管に接続されるように配置され、フレキシブル部を有し、各別の前記液体多岐管に接続されるように保持する場合、前記フレキシブル部はチューブの横方向及び縦方向の操作の少なくとも一方に合わせるように配置されるチューブと、前記チューブの遠位端に接続され、前記部材に付属する第２のコネクタに結合される場合、液密接続を形成するように配置される第１のコネクタと、を有し、
前記スロットに挿入される前記部材によって前記第１のコネクタが前記第２のコネクタに結合されるようになり、前記第１のコネクタと前記第２のコネクタとの接続が液密接続を形成して、前記部材を前記液冷多岐管システムに流動的に接続させるサーバラック。
【発明の詳細な説明】
【技術分野】
【０００１】
本発明は、コンピュータシステムの液冷システムに好適に使用され、且つ特にコネクタ組立部品に好適に使用され、部材が液冷システムに接続される場合に許容限度を発生させることができる。
【背景技術】
【０００２】
サーボコンピュータシステムの快速な発展により、関連するコンピュータ冷却システムの要求が向上している。エネルギー要求の向上により、放熱要求が増える。既知の空冷システムは、増えた放熱要求に対応できない。そのため、空冷システムの不足を克服するように、サーボコンピュータシステムは、液冷システムを使用し始めていた。しかしながら、閉鎖型液体回路を有する要求には、いくつかの問題がある。
【発明の概要】
【発明が解決しようとする課題】
【０００３】
その一つの問題としては、各サーボコンピュータシステムと液体回路とを接続しそして分ける必要がある。サーボコンピュータシステムとサーバラックとを接続し又は分けるには、サーボコンピュータシステムから液体回路までの連結の各々を接続し又は分離させる必要があり、これは時間がかかり且つサーバラックを漏れの潜在的な損傷にも露出させる。従来の液冷システムに使用されるコネクタは、液体回路における複数の部材の累積公差に対応できないので、漏れの可能性が増える。その結果、漏れが接続点に発生する可能性があり、これはサーバラック及び他の内部部材を損傷する。
【０００４】
そのため、累積公差に対応し液体回路内の漏れを最低化できる前提で、サーボコンピュータシステムと流体回路とを快速に接続し及び分けることのできる方法が望まれている。
【課題を解決するための手段】
【０００５】
本開示は、液体多岐管を含むサーバラックを説明する。多岐管は、複数のコネクタ組立部品を含み、サーバラックの部材を液体多岐管に流動的に接続させる。少なくとも一部のコネクタ組立部品は、コネクタ組立部品によって液体多岐管に接続される部材の接続及び移動を可能にするようなフレキシブルなものである。フレキシブル部は、サーバラック内における部材の累積公差に対応し、液体冷却剤の接続箇所での漏れを防止又は阻止することができる。
【０００６】
本開示の一実施例によると、サーバラック内の液体多岐管に用いられるコネクタ組立部品において、液体多岐管に接続されるように配置され、フレキシブル部を有し、液体多岐管に接続されるように維持する場合、フレキシブル部はチューブの横方向及び縦方向の操作の少なくとも一方に合わせるように配置されるチューブと、互いに結合する場合、液密（ｌｉｑｕｉｄ-ｔｉｇｈｔ）接続を形成するように配置され、その一方がチューブの遠位端に接続され、且つその他方がサーバラック内の複数の部材の１つに接続されて、液体多岐管から冷却剤を部材に供給する第１のコネクタ及び第２のコネクタと、を含むコネクタ組立部品を開示する。
【０００７】
本実施例の別の方面によると、チューブの近位端は直線部であってよく、直線部によってチューブが液体多岐管に接続され、且つフレキシブル部はチューブの遠位端に位置してよい。或いは、チューブの遠位端は直線部であってよく、直線部によってチューブが第１のコネクタと第２のコネクタの一方に接続され、且つフレキシブル部はチューブの近位端に位置してよい。ある実施例において、チューブは第１の直線部及び第２の直線部を含んでよい。第１の直線部によってチューブが液体多岐管に接続され、且つ第２の直線部によってチューブの遠位端においてチューブが第１のコネクタと第２のコネクタの一方に接続されてよい。フレキシブル部は、第１の直線部と第２の直線部との間に位置してよい。第１のコネクタ及び第２のコネクタの少なくとも一方は、接続していない場合にセルフシールするように配置されてよい。第１のコネクタはメスコネクタであってよく、且つ第２のコネクタはオスコネクタであってよい。第２のコネクタはチューブの遠位端に接続され、且つ第１のコネクタはサーバラックの部材に接続されるように配置されてよい。第１のコネクタはチューブの遠位端に接続され、且つ部材はサーボコンピュータシステムを保持するように配置されるサーバラックの摺動部品(ｓｌｅｄ)であってよい。チューブは、垂直に延伸して液体多岐管から離れ且つサーバラック内における部材の挿設方向に平行であるように配置されてよい。
【０００８】
本開示の別の実施例によると、サーボコンピュータシステムを収納するためのサーバラックにおいて、スロットを有するフレームと、サーボコンピュータシステムを保持してスロットに挿入されるように配置され、搭載ベース（ｄｏｃｋ）を有し、サーボコンピュータシステムに流動的に接続されるように配置される摺動部品と、フレームの高度で延伸し、第１の液体多岐管と第２の液体多岐管を有する液冷多岐管システムと、第１の液体多岐管に接続される第１のコネクタ組立部品及び第２の液体多岐管に接続される第２のコネクタ組立部品と、を含み、第１のコネクタ組立部品及び第２のコネクタ組立部品は、それぞれ、各別の液体多岐管に接続されるように配置され、フレキシブル部を有し、各別の液体多岐管に接続されるように維持する場合、フレキシブル部がチューブの横方向及び縦方向の操作の少なくとも一方に合わせるように配置されるチューブと、互いに結合する場合、液密接続を形成するように配置され、その一方がチューブの遠位端に接続され、且つその他方が搭載ベースに接続されてよい第１のコネクタ及び第２のコネクタと、を有し、摺動部品がスロットに挿入されてよくて第１のコネクタが第２のコネクタに結合されるようになり、且つ液密接続を形成して、搭載ベースを液冷多岐管システムに流動的に接続させるサーバラックを開示する。
【０００９】
本実施例の別の方面によると、第１のコネクタ及び第２のコネクタの少なくとも一方は、接続していない場合にセルフシールするように配置される。例として、チューブの遠位端に接続される第１のコネクタと第２のコネクタの一方は、結合していない場合にセルフシールするように配置されてよい。チューブが各別の液体多岐管に接続されるように維持する場合、フレキシブル部は、チューブの横方向、縦方向及び軸方向の操作に合わせるように配置されてよい。第１の液体多岐管と第２の液体多岐管とは、サーバラックの対向する側に位置してよい。第１のコネクタ組立部品と第２のコネクタ組立部品は、スロットに水平に揃えてよい。フレームは複数のスロットを有し、且つ液冷多岐管システムはフレームの長さに沿って複数の第１のコネクタ組立部品及び複数の第２のコネクタ組立部品を有してよい。複数対の第１のコネクタ組立部品と第２のコネクタ組立部品は、これらのスロットの各別のスロットに水平に揃えてよい。第１のコネクタ組立部品のチューブと第２のコネクタ組立部品のチューブは、垂直に延伸して第１の液体多岐管と第２の液体多岐管から離れ、スロットに平行してよい。チューブは、各別の液体多岐管から離れるように配置されてよい。
【００１０】
本開示の別の実施例によると、部材を収納するためのサーバラックにおいて、スロットを有するフレームと、フレームの高度で延伸し、第１の液体多岐管と第２の液体多岐管を有する液冷多岐管システムと、第１の液体多岐管に接続される第１のコネクタ組立部品及び第２の液体多岐管に接続される第２のコネクタ組立部品と、を含み、第１のコネクタ組立部品及び第２のコネクタ組立部品は、それぞれ、各別液体多岐管に接続されるように配置され、フレキシブル部を有し、各別の液体多岐管に接続されるように保持する場合、フレキシブル部がチューブの横方向及び縦方向の操作の少なくとも一方に合わせるように配置されるチューブと、チューブの遠位端に接続され、部材に付属する第２のコネクタに結合される場合、液密接続を形成するように配置されてよい第１のコネクタと、を含み、スロットに挿入される部材によって第１のコネクタが第２のコネクタに結合されるようになり、第１のコネクタと第２のコネクタとの接続が液密接続を形成して、部材を液冷多岐管システムに流動的に接続させるサーバラックを開示する。
【００１１】
上記簡単な内容は、本開示の各々の実施例又は各々の方面を代表するためのものではない。それに対して、前記簡単な内容は、ここで提出されるある創新な方面と特徴の例のみを提供する。下記で、添付図面及び添付の特許請求の範囲を参照することで、本開示を達成させる代表的な実施例とモードの細部についての説明によって、本開示の上記特徴、メリット及び他の特徴及びメリットを容易に理解することができる。
【図面の簡単な説明】
【００１２】
下記で添付図面の示範的な実施例に対する説明を参照することで、本開示及びそのメリットや図面をよりよく理解することができる。これらの図面が示範実施例のみを示すので、各実施例又は特許請求の範囲の範囲に対する制限とされるべきではない。
【図１】本開示の一実施例によるサーバラックを示す斜視図である。
【図２】本開示の一実施例による図１のサーバラックの部材及び液体多岐管を示す斜視図である。
【図３】本開示の一実施例による単一の部材に接続される液体多岐管を示す斜視図である。
【図４Ａ】本開示の一実施例による液体多岐管に接続されるコネクタ組立部品を示す斜視図である。
【図４Ｂ】本開示の一実施例による液体多岐管に接続される別のコネクタ組立部品を示す斜視図である。
【図４Ｃ】本開示の一実施例による液体多岐管に接続される別のコネクタ組立部品を示す斜視図である。
【図４Ｄ】本開示の一実施例による図４Ｃのコネクタ組立部品の細部を示す斜視図である。
【図５Ａ】本開示の一実施例による部材を液体多岐管に流動的に接続させる様子を示す斜視図である。
【図５Ｂ】本開示の一実施例による図５Ａの部材の液体多岐管に接続される様子を示す斜視図である。
【発明を実施するための形態】
【００１３】
添付図面に合わせて複数の実施例を説明する。同じ参照番号は、全ての図面に用いられて、類似又は同等な素子を表示する。図面は比例にして描かれたものではなく、且つこれらの図面は本発明のみを例示する。理解すべきなのは、完璧に理解させるために、複数の特定な細部、関係、及び方法が提出される。しかしながら、当業者であれば、１つ又は複数の特定な細部もなく又は他の方法を使用せずに、複数種類の実施例を実施できることは容易に判明できる。他の例において、複数の実施例のある方面を不明にしないように、周知の構造や動作の細部が示されていない。複数種類の実施例は、例示される動作や事件の順序に制限されない。ある動作も異なる順序で発生し、及び／又は他の動作や事件と同時に発生してもよい。また、本発明による方法は、全ての例示される動作や事件がなければ実施できないわけでもない。
【００１４】
例えば、要約、発明の内容及び発明を実施するための形態の部分に開示されるが特許請求の範囲において明確に提出されることのない素子と制限は、示唆、推断又は他の形態で特許請求の範囲に単独又は共通に併入されるべきではない。このように詳しく説明するために、特に放棄しない限り、単数の用語は複数の意図を含むが、逆にも同様である。「含む」の用語とは、「〜を含むが、それに限定されない」という意味である。また、例えば、「およそ」、「殆ど」、「実質的に」、「近似に」という近似用語及び類似な用語は、例えば、「〜に位置する」、「〜に近い」、又は「ほぼ〜に位置する」、又は「３〜５％の範囲内にある」、又は「許可可能な製造公差の内にある」、又は上記論理的な如何なる組み合わせを意図してよい。
【００１５】
本開示については、「コンピュータ装置」、又は「計算システム」、又は「コンピュータシステム」の用語とは、電力で駆動され又は電池で駆動される如何なる装置であり、ハードウェア、ソフトウェア、及び／又はファームウェア部材を有してよい。ソフトウェア及び／又はファームウェア部材は、装置における操作性能として配置されてよい。「操作環境」の用語とは、如何なる操作システム又は環境であってよく、ソフトウェアをコンピュータシステムにおいて運転させるように運行することができる。
【００１６】
本開示は、液体多岐管とコネクタ組立部品を含むサーバラックを説明する。コネクタ組立部品は、例えば、サーボコンピュータシステムのような部材を、サーバラックの液冷システムに流動的に接続することに用いられる。コネクタ組立部品は、コネクタ組立部品によって液体多岐管に接続される部材の接続又は移動に合わせてフレキシブルなものになる部分を含む。つまり、フレキシブルな部分は、サーバラック内における部材に累積する公差に対応し、液体冷却剤の接続箇所での漏れを防止又は阻止する。
【００１７】
図１は、本開示の一実施例によるサーバラック１００を示す斜視図である。サーバラック１００は、例えば、１つ又は複数の伺服部材システムのような、１つ又は複数のコンピュータシステムを収納するための如何なる既知のフレームであってもよい。例として、サーバラック１００は、１つ又は複数のブレードサーボコンピュータシステムを収納するブレードサーバラックであってよい。
【００１８】
サーバラック１００は、ケース１０２を含む。ケース１０２は、フレーム１０６を取り巻いて部分的に取り囲む。フレーム１０６は、複数のスロット１０８を含み又は定義し、１つ又は複数の部材１０４をサーバラック１００内に収納することができる。１つ又は複数の実施例において、この１つ又は複数の部材１０４は、サーボコンピュータシステムであってよい。しかしながら、この１つ又は複数の部材は、サーバラックで発見される如何なる部材であってよい。また、フレーム１０６は、例えば、ボンプ、コンプレッサー等のような、液冷システム（未図示）を形成し又は少なくとも部分的に形成するための他の部材を収納することができる。しかしながら、液冷システムの部材は、下記の多岐管と異なり、既知の技術によってサーバラック１００内に設けられてよい。
【００１９】
部材１０４とスロット１０８のサイズによって、各スロット１０８が単一の部材１０４を収納し、或いは複数のスロット１０８が単一の部材１０４を収納することができる。これらのスロット１０８は、単一の行の形態で互いの上方に垂直に手配される。しかしながら、１つ又は複数の実施例において、フレーム１０６は、代わりに、複数の相対的に互いに水平に配列されるスロット１０８、又は上記２つの組み合わせ、例えば、１行を超えたスロット１０８を有する。
【００２０】
図２は、本開示の一実施例による図１のサーバラック１００のケース１０２の除去された様子を示す斜視図である。サーバラック１００は、液冷多岐管システム２００を含む。特に言うと、部材１０４内の熱を放出するように、液冷多岐管システム２００は、液冷システムの液体冷却剤をフレーム１０６内の部材１０４に提供する。前記のように、冷却させまた液体冷却剤を供給するように、液冷多岐管システム２００は、例えば、ボンプ、コンプレッサー、熱交換器等のような、液冷システムの他の部材に接続される。これらは、フレーム１０６又はサーバラック１００内に収納され、又はサーバラック１００外に設けられてよい（図２に示されていない）。
【００２１】
液冷多岐管システム２００は、第１の液体多岐管２０２及び第２の液体多岐管２０４を含む。第１の液体多岐管２０２と第２の液体多岐管２０４の一方は冷たい液体冷却剤を部材１０４に供給するが、第１の液体多岐管２０２と第２の液体多岐管２０４の他方は部材１０４内の熱が放出した後で熱い液体冷却剤を受ける。例として、図２に示すように、矢印２０６は、冷たい液体冷却剤が第１の液体多岐管２０２に流れることを示す。矢印２０８は、部材１０４内の熱が放出した後で、熱い液体冷却剤が第２の液体多岐管２０４から流れ出ることを図示する。以下、液体冷却剤の部材への供給を更に検討する。
【００２２】
第１の液体多岐管２０２と第２の液体多岐管２０４とは、フレーム１０６の対向する両側に示されるが、１つ又は複数の実施例において、フレーム１０６の同じ側に設けられてもよい。例えば、何れもフレーム１０６の左前隅又は右前隅に設けられてもよい。
【００２３】
図３は、本開示の一実施例による１つの部材に接続される液冷多岐管システム２００を示す斜視図である。例示される実施例において、部材は、具体的に、サーボコンピュータシステム（未図示）を収納可能な摺動部品３００である。しかしながら、例えば、サーボコンピュータシステム自体のような、如何なる部材１０４（図２）も摺動部品３００を取り替えることに用いられることができる。前記のように、摺動部品３００がフレーム１０６（図２）により定義されるスロット１０８（図２）の中の１つ内に滑り込む。
【００２４】
図３の拡大された部分を参照されたい。摺動部品３００は、搭載ベース３０４を含んでよい。下記で更に検討されるように、搭載ベース３０４は、摺動部品３００が第１の液体多岐管２０２と第２の液体多岐管２０４に接続される接続箇所である。搭載ベース３０４も、摺動部品３００のコンピュータ伺服システムに接続される接続箇所である。
【００２５】
図３の斜視図と拡大図に示すように、液冷多岐管システム２００の第１の液体多岐管２０２及び第２の液体多岐管２０４は複数のコネクタ組立部品３０２を含む。コネクタ組立部品３０２が第１の液体多岐管２０２と第２の液体多岐管２０４の長さに沿って設けられる。１つ又は複数の実施例において、コネクタ組立部品３０２が第１の液体多岐管２０２と第２の液体多岐管２０４に沿って設けられる。複数対のコネクタ組立部品３０２とスロット１０８（図２）及びスロット１０８内に挿入される部材１０４とが水平に揃えている。
【００２６】
図３の拡大図に示すように、搭載ベース３０４がコネクタ組立部品３０２ａ、３０２ｂを介して第１の液体多岐管２０２及び第２の液体多岐管２０４に接続される。特に、コネクタ組立部品３０２ａによって搭載ベース３０４が第１の液体多岐管２０２に接続され、コネクタ組立部品３０２ｂによって搭載ベース３０４が第２の液体多岐管２０４に接続される。矢印２０６は、液体冷却剤が第１の液体多岐管２０２からコネクタ組立部品３０２ａを介して摺動部品３００の搭載ベース３０４に流れる様子を図示する。摺動部品３００の搭載ベース３０４内において、液体冷却剤が出力ポート３０６に進行し、液体冷却剤が例えば、摺動部品３００により保持されるサーボコンピュータシステム（又は冷却されようとする如何なる素子、未図示）に流れ込む。矢印２０８は、一旦、サーボコンピュータシステムを経過して放熱された後で、熱い液体冷却剤が如何に入力ポート３０８を介して搭載ベース３０４の中に流れ戻す様子を図示する。その後、液体冷却剤が搭載ベース３０４を介してコネクタ組立部品３０２ｂに流れて第２の液体多岐管２０４に入る。
【００２７】
図４Ａは、本開示の一実施例によるコネクタ組立部品に接続される素子を示す斜視図であり、それは第１の液体多岐管２０２に接続されるコネクタ組立部品３０２ａを例示として説明する。コネクタ組立部品３０２ａは、チューブ４００、第１のコネクタ４０２及び第２のコネクタ４０４を含む。チューブ４００は、近位端４００ａが第１の液体多岐管２０２に接続され、且つ遠位端４００ｂが第１のコネクタ４０２に接続される。
【００２８】
一般的に、チューブ４００は、まっすぐで、且つ第１の液体多岐管２０２に接続される。チューブ４００は、第１の液体多岐管２０２に垂直であり、且つ例えば、点線Ｌに示すように、フレーム１０６内の対応するスロット１０８に平行して延伸する。チューブ４００は、如何なる長さであってもよい。しかしながら、空間を省略するために、チューブ４００は、一般的に、短く、例えば、およそコネクタ組立部品３０２の長さの半分であり、又はもっと短い。１つ又は複数の実施例において、チューブ４００は、第１の液体多岐管２０２から離れるように配置される。或いは、チューブ４００は、第１の液体多岐管２０２と全体的に形成し又は一体成形してよい。例として、１つ又は複数の実施例において、チューブ４００は、第１の液体多岐管２０２に半田付けられてよい。
【００２９】
チューブ４００は、直線部４０６及びフレキシブル部４０８を含んでよい。フレキシブル部４０８は、１つ又は複数の方向においてフレキシブル化されるように配置される。１つ又は複数の実施例において、フレキシブル部４０８は、その材質、その形状、又は幾何図形、又はそれらの組み合わせに基づいてフレキシブル可能に配置される。例として、フレキシブル部４０８は、破裂や漏れが発生しないようにフレキシブル化する材質（例えば、重合材料）から製造されてよい。フレキシブル部４０８は、フレキシブル化のために、例えば、示される波浪のような皺状のように、形状又は幾何図形の何れか一方を有し、又は追加に有してよい。
【００３０】
１つ又は複数の実施例において、フレキシブル部４０８は、横方向、縦方向、軸方向又はそれらの組み合わせの方向においてフレキシブル可能になるように配置される。例として、背き離れる矢印４１０ａは、フレキシブル部４０８が如何に横方向において（例えば、左／右）フレキシブル可能になることを図示する。背き離れる矢印４１０ｂは、フレキシブル部４０８が如何に縦方向において（例えば、上／下）フレキシブル可能になることを図示する。背き離れる矢印４１０ｃは、フレキシブル部４０８が如何に軸方向において（例えば、後ろへ／前へ）フレキシブル可能になることを図示する。
【００３１】
また、直線部４０６を参照されたい。１つ又は複数の実施例において、直線部４０６は、フレキシブル部４０８と同じ鋼性を持ち、或いは鋼性がフレキシブル部４０８よりも大きくてよい。また、図に示すように、直線部４０６によってチューブ４００が第１の液体多岐管２０２に接続される。しかしながら、１つ又は複数の実施例において、その代わりに、フレキシブル部４０８は、直接第１の液体多岐管２０２に接続されてよい。１つ又は複数の実施例において、チューブ４００は、直線部４０６を有しなくてもよく、且つフレキシブル部４０８しか有しなくてもよい。１つ又は複数の実施例において、チューブ４００は、２つの直線部４０６及び直線部４０６の間に位置するフレキシブル部４０８を含んでよい。
【００３２】
図４Ａに示すように、チューブ４００の遠位端４００ｂが第１のコネクタ４０２に接続される。第１のコネクタ４０２は、オス・コネクタとして示されるが、液冷システムの液体回路に液密接続を形成できれば、如何なる形態のコネクタであってもよい。そのため、説明するために、第１のコネクタ４０２については、オス・コネクタを例としたが、それは制限するためのものではない。第１のコネクタ４０２は、第２のコネクタ４０４に結合されるように配置される。
【００３３】
１つ又は複数の実施例において、第１のコネクタ４０２は、チューブ４００から離れてよい。例として、第１のコネクタ４０２は、チューブ４００から離れて、異なるコネクタをチューブ４００に接続してよい。１つ又は複数の実施例において、第１のコネクタ４０２は、チューブ４００に永久的に接続されてよく、例えば、チューブ４００に半田付けされてよい。
【００３４】
上記と同じように、第２のコネクタ４０４は、メス・コネクタとして示されるが、液冷システムの液体回路内において液密接続を形成できれば、如何なる形態のコネクタであってもよい。そのため、説明するために、第２のコネクタ４０４については、メス・コネクタを例としたが、それは制限するためのものではない。
【００３５】
１つ又は複数の実施例において、第１のコネクタ４０２と第２のコネクタ４０４の一方又はその両者は、互いに結合していない場合に密封されるように配置されてよい。これは、互いに結合していない状況で、流体の第１のコネクタ４０２又は第２のコネクタ４０４からの漏れを防止又は最低化することができる。第１のコネクタ４０２と第２のコネクタ４０４の一方又はその両者は、第１のコネクタ４０２と第２のコネクタ４０４とが分離する場合に起用する密封部材を含んでよい。１つ又は複数の実施例において、第１のコネクタ４０２と第２のコネクタ４０４の一方又はその両者は、第１のコネクタ４０２と第２のコネクタ４０４とが互いに接続する場合に起用する密封部材を含んでよい。
【００３６】
第２のコネクタ４０４は、サーバラック１００内の部材１０４と接続するように配置される。１つ又は複数の実施例において、上記図３により行われる検討によると、第２のコネクタ４０４は、摺動部品３００の搭載ベース３０４と接続するように配置される。又は、第２のコネクタ４０４は、サーバラック１００内に位置可能な如何なる部材１０４と接続するように配置され、例えば、摺動部品３００を使用せずにサーボコンピュータシステムに接続され、サーボコンピュータシステムは液冷システムの液体回路と接続するように配置される。又は、上記第２のコネクタ４０４の両方を併用する。
【００３７】
図４Ｂは、本開示の一実施例による代わりのコネクタ組立部品３０２ａ-１の素子を示す斜視図であり、コネクタ組立部品３０２ａ-１が第１の液体多岐管２０２に接続される。コネクタ組立部品３０２ａ-１がコネクタ組立部品３０２（図３及び図４Ａ）に類似であり、チューブ４００-１が近位端４００ａ-１のフレキシブル部４０８-１に含まれる以外、近位端４００ａ-１が第１の液体多岐管２０２に接続される。直線部４０６-１は、チューブ４００-１の第１のコネクタ４０２に接続される遠位端４００ｂ-１に位置する。
【００３８】
図４Ｃは、本開示の一実施例による別の代わりのコネクタ組立部品３０２ａ-２の素子を示す斜視図であり、コネクタ組立部品３０２ａ-２が第１の液体多岐管２０２に接続される。チューブ４００-２が第１の直線部４０６ａ-２及び第２の直線部４０６ｂ-２を含む以外、コネクタ組立部品３０２ａ-２がコネクタ組立部品３０２（図３及び図４Ａ）に類似する。第１の直線部４０６ａ-２によってチューブ４００-２の近位端４００ａ-２が第１の液体多岐管２０２に接続される。第２の直線部４０６ｂ-２がチューブ４００-２の遠位端４００ｂ-２でチューブ４００-２を第１のコネクタ４０２に接続する。また、フレキシブル部４０８-２は、第１の直線部４０６ａ-２及び第２の直線部４０６ｂ-２の間に位置する。
【００３９】
１つ又は複数の実施例において、フレキシブル部４０８-２は、第１の直線部４０６ａ-２、又は第２の直線部４０６ｂ-２、又は両者に永久的に固定されてよい。１つ又は複数の実施例において、フレキシブル部４０８-２は、第１の直線部４０６ａ-２、第２の直線部４０６ｂ-２、又は両者から離れるように配置されてよい。
【００４０】
１つ又は複数の実施例において、第１の直線部４０６ａ-２、第２の直線部４０６ｂ-２、又は両者は、例えば、半田付け又は全体として形成するように、それぞれ第１の液体多岐管２０２と第１のコネクタ４０２に永久的に固定されてよい。１つ又は複数の実施例において、第１の直線部４０６ａ-２、第２の直線部４０６ｂ-２、又は両者は、それぞれ第１の液体多岐管２０２及び第１のコネクタ４０２から離れるように配置されてよい。
【００４１】
例として、図４Ｄは、本開示の一実施例による図４Ｃのコネクタ組立部品３０２ａ-２の細部を示す斜視図である。第１の直線部４０６ａ-２は、フレキシブル部４０８-２のねじ山部４０８ａ-２に接合されるねじ山部４１２ａを含んでよい。類似的に、第２の直線部４０６ｂ-２は、フレキシブル部４０８-２のねじ山部４０８ｂ-２に接合されるねじ山部４１２ｂを含んでよい。ねじ山部４１２ａ、４１２ｂ、４０８ａ-２、及び４０８ｂ-２によって、フレキシブル部４０８-２を第１の直線部４０６ａ-２及び第２の直線部４０６ｂ-２から離れさせることができる。
【００４２】
第１の直線部４０６ａ-２とフレキシブル部４０８-２との間に液密接続を形成するように、第１の直線部４０６ａ-２は、密封部材４１４ａを含んでもよい。第２の直線部４０６ｂ-２とフレキシブル部４０８-２との間に液密接続を形成するように、第２の直線部４０６ｂ-２は、密封部材４１４ｂを含んでもよい。その代わりに、フレキシブル部４０８-２は、密封部材４１４ａと４１４ｂの一方又はその両者、或いは別の密封部材を含んでよい。
【００４３】
第２の直線部４０６ｂ-２は、コネクタ組立部品３０２ａ-２の一部として説明されるが、１つ又は複数の実施例において、代わりに第１のコネクタ４０２の一部と見なされてもよい。例として、第２の直線部４０６ｂ-２が第１のコネクタ４０２の一部として整合され又は形成すれば、第２の直線部４０６ｂ-２は、その代わりに第１のコネクタ４０２の素子と見なされてもよい。この例において、図４Ａのコネクタ組立部品３０２ａに類似しているように、コネクタ組立部品３０２ａ-２は、その代わりに第１の直線部４０６ａ-２とフレキシブル部４０８-２を含んでもよい。
【００４４】
図５Ａは、本開示の一実施例による摺動部品３００が液冷多岐管システム２００内に挿入される様子を示す斜視図である。図５Ｂは、本開示の一実施例による図５Ａの摺動部品３００が液冷多岐管システム２００に接続される様子を示す斜視図である。図５Ａを参照されたい。摺動部品３００を液冷多岐管システム２００に近づかせる場合、摺動部品３００の第２のコネクタ４０４は、第１の液体多岐管２０２と第２の液体多岐管２０４に接続される第１のコネクタ４０２に向ける。各コネクタ組立部品３０２がフレキシブル部４０８を含むので、チューブ４００は、フレキシブルであり、第１のコネクタ４０２と第２のコネクタ４０４との位置合わせに寄与する。
【００４５】
図５Ｂを参照されたい。第１のコネクタ４０２と第２のコネクタ４０４とが互いに結合した後で、コネクタ組立部品３０２（図３）のフレキシブル部４０８は、必要な場合にフレキシブル性を維持することができる。これにより、例えば、システムの累積公差により全体的に第１のコネクタ４０２と第２のコネクタ４０４が元々位置合わせていない状況でも、コネクタ組立部品３０２は、液密接続を維持することができる。そのため、コネクタ組立部品３０２によって、液体冷却剤の漏れもなく、接合前に第１のコネクタ４０２と第２のコネクタ４０４とを精確に位置合わせする必要もなく、単に部材１０４をスロット１０８に挿入するだけで、摺動部品３００又は如何なる部材１０４も液冷多岐管システム２００に快速に接続しそして分離するようにすることができる。また、コネクタ組立部品３０２は、液冷多岐管システム２００と部材１０４との間にフローティング接続（例えば、フローティングコネクタの構造）を提供し、これは、例えば、地震による部材の非予期的な移動事件のような部材１０４の液冷多岐管システム２００に対する移動を許可する。
【００４６】
本発明の複数の実施例を上記のように説明したが、それらは単に説明するためのものであり、制限するためのものではないことは、理解すべきである。精神や範囲から逸脱せずに、ここでの開示に基づいて、開示される実施例に数多くの変化を加えてよい。そのため、本発明の広さや範囲は、如何なる上記実施例によりも限定されない。それに対して、本発明の範囲は、下記の特許請求の範囲及びその同等物によって定義されるべきである。
【００４７】
本発明を１つ又は複数の実施態様によって説明し記述されたが、当業者であれば、この明細書及び添付図面を読んで理解した後で同等な改変や変更を加えることができる。また、本発明の特定な特徴は、既に複数の実施態様における１つによって開示されるが、如何なる所定又は特定な適用の要求及びメリットを達成させるために、この特徴は他の実施態様の１つ又は複数の他の特徴に合わせてよい。
【００４８】
ここで使用される専門用語は、特定な実施例を説明するためのものであり、制限するものではない。例えば、ここで使用される「一(ａ)」、「一(ａｎ)」、又は「前記(ｔｈｅ)」のような単数の用語も、上下文で別に明確に表示されない限り、複数の意図を含もうとする。また、実施形態及び／又は特許請求の範囲で言及された「含有(ｉｎｃｌｕｄｉｎｇ)」、「備える(ｉｎｃｌｕｄｅｓ)」、「有する(ｈａｖｉｎｇ)」、「ある(ｈａｓ)」、「と(ｗｉｔｈ)」、又はその変わった範囲のような用語について、このような用語は、ある程度で、「含む(ｃｏｍｐｒｉｓｉｎｇ)」の用語と類似な意味に含まれる。
【００４９】
特に定義されない限り、ここで全ての用語（技術及び科学用語を含む）は、当業者によりよく理解される同じ意味を有する。また、ある用語は、例えば、常用辞典で定義されるように、関連分野の上下文でのそれらの意味を有する意図として解釈されるべきであるが、ここでこのように明確に定義されない限り、理想化又はあまり正式的な意味として解釈されるべきではない。
【符号の説明】
【００５０】
１００：サーバラック
１０２：ケース
１０４：部材
１０６：フレーム
１０８：スロット
２００：液冷多岐管システム
２０２：第１の液体多岐管
２０４：第２の液体多岐管
２０６、２０８、４１０ａ、４１０ｂ、４１０ｃ：矢印
３００：摺動部品
３０２、３０２ａ、３０２ｂ、３０２ａ-１、３０２ａ-２：コネクタ組立部品
３０４：搭載ベース
３０６：出力ポート
３０８：入力ポート
４００、４００-１、４００-２：チューブ
４００ａ、４００ａ-１、４００ａ-２：近位端
４００ｂ、４００ｂ-１、４００ｂ-２：遠位端
４０２：第１のコネクタ
４０４：第２のコネクタ
４０６、４０６-１：直線部
４０６ａ-２：第１の直線部
４０６ｂ-２：第２の直線部
４０８、４０８-１、４０８-２：フレキシブル部
４１２ａ、４１２ｂ、４０８ａ-２、４０８ｂ-２：ねじ山部
４１４ａ、４１４ｂ：密封部材
Ｌ：点線
【図１】
2020095684.tif 000003
【図２】
2020095684.tif 000004
【図３】
2020095684.tif 000005
【図４Ａ】
2020095684.tif 000006
【図４Ｂ】
2020095684.tif 000007
【図４Ｃ】
2020095684.tif 000008
【図４Ｄ】
2020095684.tif 000009
【図５Ａ】
2020095684.tif 000010
【図５Ｂ】
2020095684.tif 000011